(57)【要約】【課題】給湯栓への給湯の開始直後に該給湯栓に冷えた給湯用水が供給される期間を極力短くすることを効果的に実現でき、ひいては、ユーザの快適性を高めることができる給湯システムを提供する。【解決手段】給湯システムは、熱源機１に第１給湯路１２，１３ａを介して接続された給湯栓１５と、第１給湯路１２，１３ａの途中部１４に第２給湯路１３ｂを介して接続された機器２０と、給湯栓１５の開栓が予測される状況であるか否かを判断する開栓予測判断部７ｂと、開栓予測判断部７ｂの判断結果が肯定的になった場合に、機器２０への給水を所定期間、実行するように、機器２０の給水弁２２を開弁制御する制御部２５とを備える。【選択図】図１
2020063882.tif 000002
【特許請求の範囲】
【請求項１】
給湯用水の流入時に、該給湯用水を加熱して出湯する熱源機と、
該熱源機から出湯する給湯用水が供給され得るように該熱源機に第１給湯路を介して接続された給湯栓と、
該熱源機から出湯する給湯用水が前記第１給湯路の途中部から供給され得るように該途中部に第２給湯路を介して接続されており、該第２給湯路を開閉可能な給水弁を含む機器とを備える給湯システムであって、
前記給湯栓の開栓が予測される状況であるか否かを判断する開栓予測判断部と、
該開栓予測判断部の判断結果が肯定的になった場合に、前記機器への給水を所定期間、実行するように、前記給水弁を開弁制御する制御部とを備えることを特徴とする給湯システム。
【請求項２】
請求項１記載の給湯システムにおいて、
前記機器は、供給された給湯用水を排水する排水動作を行い得る排水装置を備えており、
前記制御部は、前記給水弁の開弁制御と並行して、又は該開弁制御の終了後に、前記排水装置の排水動作を行わせるように該排水装置を制御する機能をさらに有するように構成されていることを特徴とする給湯システム。
【請求項３】
請求項１又は２記載の給湯システムにおいて、
前記機器は、前記第２給湯路から供給される給湯用水の温度を検出可能な第１温度センサを備えており、
前記所定期間は、前記機器への給水開始後、前記第１温度センサによる温度検出値が第１所定値以上の温度に上昇するまでの期間であることを特徴とする給湯システム。
【請求項４】
請求項１〜３のいずれか１項に記載の給湯システムにおいて、
前記該熱源機は、前記第１給湯路に出湯する給湯用水の温度、又は該熱源機に流入する給湯用水の温度を検出可能な第２温度センサを備えており、
前記制御部は、前記開栓予測判断部の判断結果が肯定的になった場合に、前記第１給湯路の通水が行われていない状態での前記第２温度センサの温度検出値が第２所定値以下の温度であることを必要条件として、前記給水弁の開弁制御を実行するように構成されていることを特徴とする給湯システム。
【請求項５】
請求項１〜４のいずれか１項に記載の給湯システムにおいて、
前記熱源機は、浴槽への湯はりを行う湯はり運転を実行可能であり、
前記開栓予測判断部は、前記熱源機の湯はり運転が実行された場合に、前記判断結果を肯定的とするように構成されていることを特徴とする給湯システム。
【発明の詳細な説明】
【技術分野】
【０００１】
本発明は、給湯システムに関する。
【背景技術】
【０００２】
熱源機で加熱した給湯用水を台所等の給湯栓に供給し得るように構成された給湯システムでは、熱源機から給湯栓までの給湯路内に残存する給湯用水が冷えた状態で給湯栓への給湯（給湯栓の開栓による給湯）を開始すると、該給湯の開始直後の初期の期間では、給湯路内に残存していた冷えた給湯用水が給湯栓に供給されるため、ユーザに不快感を及ぼしやすい。
【０００３】
そこで、例えば特許文献１には、食器洗浄機への給湯及び該食器洗浄機での排水動作を定期的に行うことで、熱源機から給湯栓に至る給湯路のうち、熱源機から食器洗浄機に至る給湯路との共用部分の給湯路の給湯用水を定期的に昇温しておくシステムが提案されている。
【先行技術文献】
【特許文献】
【０００４】
【特許文献１】特開平１０−１９７０６５号公報
【発明の概要】
【発明が解決しようとする課題】
【０００５】
しかしながら、特許文献１に見られるシステムでは、給湯栓への給湯を開始するタイミングが、食器洗浄機への定期的な給湯の開始直前のタイミングとなる場合には、給湯栓への給湯の開始時には、熱源機から給湯栓に至る給水路内の給湯用水の温度が放熱により低下してしまっている。このため、ユーザの快適性を十分に確保できない状況が生じやすい。また、給湯栓への給湯を行う頻度（給湯栓の開栓頻度）が低い状況では、給湯栓への給湯が行われないまま、食器洗浄機への給湯及び食器洗浄機での排水動作が複数回にわたって行われる場合がある。ひいては、エネルギー損失もしくは水資源の損失の増加を招きやすい。
【０００６】
本発明はかかる背景に鑑みてなされたものであり、給湯栓への給湯の開始直後に該給湯栓に冷えた給湯用水が供給される期間を極力短くすることを効果的に実現でき、ひいては、ユーザの快適性を高めることができる給湯システムを提供することを目的とする。さらに、エネルギー損失や、水資源の損失を極力抑制できる給湯システムを提供することを目的とする。
【課題を解決するための手段】
【０００７】
本発明の給湯システムは、上記の目的を達成するために、給湯用水の流入時に、該給湯用水を加熱して出湯する熱源機と、
該熱源機から出湯する給湯用水が供給され得るように該熱源機に第１給湯路を介して接続された給湯栓と、
該熱源機から出湯する給湯用水が前記第１給湯路の途中部から供給され得るように該途中部に第２給湯路を介して接続されており、該第２給湯路を開閉可能な給水弁を含む機器とを備える給湯システムであって、
前記給湯栓の開栓が予測される状況であるか否かを判断する開栓予測判断部と、
該開栓予測判断部の判断結果が肯定的になった場合に、前記機器への給水を所定期間、実行するように、前記給水弁を開弁制御する制御部とを備えることを特徴とする（第１発明）。
【０００８】
なお、本発明において、前記給湯栓の開栓が予測される状況というのは、より詳しくは、給湯栓の開栓前の状況であって、まもなく該給湯栓の開栓（ひいては、該給湯栓への給水）が開始されると予測される状況を意味する。
【０００９】
かかる本発明によれば、開栓予測判断部の判断結果が肯定的になった場合に、すなわち、給湯栓の開栓が予測される状況で、前記機器の給水弁が開弁制御されて、該機器への給水が所定期間、実行される。そして、この給水に伴い前記熱源機に流入する給湯用水が該熱源機で加熱され、その加熱された給湯用水が熱源機から、前記第１給湯路の前記途中部よりも上流側の部分と、前記第２給湯路とを介して前記機器に供給される。
【００１０】
このため、給湯栓の実際の開栓前に、前記第１給湯路の上流側の部分の給湯用水を、熱源機で加熱された給湯用水に置換しておくことが可能となる。この結果、給湯栓の実際の開栓後には、該給湯栓に、加熱された給湯用水が素早く供給されるようになる。
【００１１】
よって、第１発明によれば、給湯栓への給湯の開始直後に該給湯栓に冷えた給湯用水が供給される期間を極力短くすることを効果的に実現でき、ひいては、ユーザの快適性を高めることができる。また、給湯栓の開栓が予測される状況で、前記機器への給水を行うので、給湯栓の開栓がなされない期間に、前記機器への給水を繰り返し、実行してしまうのを極力防止できる。ひいては、エネルギー損失や、水資源の損失を極力抑制できる。
【００１２】
上記第１発明では、前記機器は、供給された給湯用水を排水する排水動作を行い得る排水装置を備えており、前記制御部は、前記給水弁の開弁制御と並行して、又は該開弁制御の終了後に、前記排水装置の排水動作を行わせるように該排水装置を制御する機能をさらに有するように構成されているという態様を採用し得る（第２発明）。
【００１３】
これによれば、前記機器に供給された給湯用水が、該機器に貯留したままで放置されるのを防止することが可能となる。
【００１４】
上記第１発明又は第２発明では、前記機器は、前記第２給湯路から供給される給湯用水の温度を検出可能な第１温度センサを備えており、前記所定期間は、前記機器への給水開始後、前記第１温度センサによる温度検出値が第１所定値以上の温度に上昇するまでの期間であるという態様を採用し得る（第３発明）。
【００１５】
これによれば、前記機器への給水の実行期間で、前記第１給湯路の上流側の部分の給湯用水を、熱源機で加熱された給湯用水に置換しておくことを確実に実現することが可能となると共に、該実行期間が必要以上に長くなるのを防止することが可能となる。
【００１６】
上記第１〜第３発明では、前記該熱源機は、前記第１給湯路に出湯する給湯用水の温度、又は該熱源機に流入する給湯用水の温度を検出可能な第２温度センサを備えており、前記制御部は、前記開栓予測判断部の判断結果が肯定的になった場合に、前記第１給湯路の通水が行われていない状態での前記第２温度センサの温度検出値が第２所定値以下の温度であることを必要条件として、前記給水弁の開弁制御を実行するように構成されていることが好ましい（第４発明）。
【００１７】
これによれば、前記開栓予測判断部の判断結果が肯定的になった場合に、第１給湯路の通水が行われていない状態での第２温度センサの温度検出値が第２所定値よりも高い場合、すなわち、前記第１給湯路内の給湯用水がさほど冷えていないことが推定され得る場合には、前記機器への給水は実行されない。
【００１８】
一方、第２温度センサの温度検出値が第２所定値以下である場合、すなわち、前記第１給湯路内の給湯用水が冷えていることが推定され得る場合に、前記機器への給水が実行される。
【００１９】
従って、給湯栓への給湯の開始直後に該給湯栓に冷えた給湯用水が供給される期間を極力短くする上で、必要性の高い状況で前記機器への給水を実行し、必要性が乏しい状況では前記機器への給水を極力実行しないようにすることが可能となる。ひいては、エネルギー損失や、水資源の損失をより一層、効果的に抑制することが可能となる。
【００２０】
上記第１〜第４発明では、前記熱源機は、浴槽への湯はりを行う湯はり運転を実行可能であり、前記開栓予測判断部は、前記熱源機の湯はり運転が実行された場合に、前記判断結果を肯定的とするように構成されているという態様を採用し得る（第５発明）。
【００２１】
ここで、湯はり運転が行われると、通常、まもなくに、浴室でのシャワー浴等のために、給湯栓の開栓が開始される場合が多い。従って、第５発明によれば、給湯栓の開栓の予測を適切に行うことが可能となる。また、特に、浴室でのシャワー浴を行うために、浴室の給湯栓を開栓した場合には、該給湯栓から出水する給湯用水の温度の増減変動が生じるのを防止することが可能となる。
【図面の簡単な説明】
【００２２】
【図１】本発明の実施形態の給湯システムの全体構成を示す図。
【図２】実施形態の給湯システムの作動を示すフローチャート。
【発明を実施するための形態】
【００２３】
本発明の一実施形態を図１及び図２を参照して以下に説明する。図１を参照して、本実施形態の給湯システムは、給湯用水を加熱して出湯する熱源機１と、該熱源機１からの給湯対象としての複数の給湯栓１５及び食器洗浄機２０とを含む。
【００２４】
熱源機１には、図示しない給水源から熱源機１に給湯用水を供給する給水路１１と、加熱した給湯用水を熱源機１から出湯する給湯路１２とが接続されている。また、熱源機１には、燃焼式の加熱部としてのバーナ２と、該バーナ２の燃焼運転時に発生する燃焼熱により加熱される熱交換器３とが搭載されている。そして、熱交換器３は、給水路１１から供給される給湯用水が該熱交換器３を経由して給湯路１２に流れるように、該給水路１１及び給湯路１２に接続されている。なお、バーナ２は、燃料ガス（気体燃料）を燃焼させるバーナ、あるいは、灯油等の液体燃料を燃焼させるバーナのいずれであってもよい。
【００２５】
また、本実施形態では、熱源機１は、給湯栓１５等への給湯を行う給湯運転の他、浴室の浴槽ＢＴの湯はり等の風呂運転を行い得る熱源機であり、該熱源機１の内部で給湯路１２から分岐された風呂用通水路４を介して浴槽ＢＴに接続されている。該風呂用通水路４には、電磁弁等により構成される開閉弁４ａが介装されており、該開閉弁４ａを開弁制御することで、給湯路１２から風呂用通水路４を介して浴槽ＢＴに給湯用水を供給することが可能である。
【００２６】
補足すると、熱源機１は、給水路１１から供給される給湯用水の一部を、熱交換器３をバイパスさせて給湯路１２に流すバイパス路を備えていてもよい。また、熱源機１は、バーナ２の代わりに、又は、バーナ２に加えて、電気エネルギーを熱エネルギーに変換して発熱する加熱部を備えていてもよい。また、熱源機１は、浴槽ＢＴ内の湯水をバーナ２とは別の加熱部により加熱される熱交換器（前記熱交換器３とは別の熱交換器）を経由させて循環させる風呂用循環水路を含んでいてもよい。
【００２７】
熱源機１にはさらに、該熱源機１から給湯路１２に出湯する給湯用水の温度を検出し得るように給湯路１２に組付けられた温度センサ５を含む種々のセンサと、熱源機１の給湯運転及び風呂運転に係る運転制御等を行う機能を有する制御装置６とが搭載されている。なお、温度センサ５は、本発明における第２温度センサに相当する。
【００２８】
制御装置６は、例えばマイクロコンピュータ、メモリ、インターフェース回路、通信機等を含む電子回路ユニットにより構成され、前記温度センサ５を含む各センサの検出信号が入力されると共に、熱源機１の運転操作用のリモコン７と有線又は無線による通信を行うことが可能である。
【００２９】
そして、制御装置６は、実装されたハードウェア構成及びプログラム（ソフトウェア構成）の両方又は一方により実現される機能によって、熱源機１の給湯運転及び風呂運転に係る運転制御（バーナ２の燃焼運転の制御を含む）を実行する。例えば、制御装置６は、給水路１１から給湯路１２への通水を図示しない流量センサ等のセンサの検出信号により検知すると、バーナ２の燃焼運転を開始させることで、給水路１１から給湯路１２への通水（給水路１１から熱源機１に流入する給湯用水）を熱交換器３で加熱する給湯運転を開始する。また、例えば、湯はり運転時には、制御装置６は、風呂用通水路４の開閉弁４ａを開弁制御した状態で、バーナ２の燃焼運転を行わせることで、浴槽ＢＴに加熱された給湯用水を供給する。
【００３０】
リモコン７は、台所等の適所に配置され、熱源機１の給湯運転のオン・オフ操作、湯はり運転等の風呂運転の実行指令操作、熱源機１から給湯路１２に出湯する給湯用水の温度の目標値（以降、目標給湯温度という）の設定操作等を行うための操作部７ａと、熱源機１の制御装置６との通信処理等を実行する機能を有する制御部７ｂとを備える。
【００３１】
操作部７ａは、操作スイッチ、タッチパネル、音声入力部等により構成される。また、制御部７ｂは、例えばマイクロコンピュータ、メモリ、インターフェース回路、通信機等を含む電子回路ユニットにより構成される。そして、本実施形態では、制御部７ｂは、熱源機１の制御装置６と通信を行い得ることに加えて、食器洗浄機２０の後述の制御装置２５と、有線又は無線による通信を行うことが可能である。さらに、制御部７ｂは、実装されたハードウェア構成及びプログラム（ソフトウェア構成）の両方又は一方により実現される機能として、いずれかの給湯栓１５の開栓が予測される状況であるか否かを判断する開栓予測判断部としての機能を含む。
【００３２】
なお、熱源機１の運転操作用のリモコンは、複数であってもよい。また、リモコン７は、外部のネットワーク（インターネット等）上のサーバと通信を行い得る機能を含んでいてもよい。この場合、リモコン７と食器洗浄機２０の制御装置２５との間の通信は、サーバを介して行うことも可能である。
【００３３】
給湯路１２の下流端はヘッダ１４を介して複数の下流側給湯路１３に接続されている。複数の下流側給湯路１３には、給湯栓１５のそれぞれに給湯用水を供給する下流側給湯路１３ａが含まれており、各給湯栓１５は、下流側給湯路１３ａと給湯路１２（以降、上流側給湯路１２ということがある）とを介して熱源機１に接続されている。各給湯栓１５は、例えば、台所、浴室、洗面所等に配置されている。なお、各給湯栓１５は、蛇口状の給湯栓に限らず、例えば、図１の浴槽ＢＴの近辺に記載された給湯栓１５の如く、シャワーヘッド１５ｓを含む給湯栓であってもよい。
【００３４】
複数の下流側給湯路１３にはさらに、食器洗浄機２０に給湯用水を供給するための下流側給湯路１３ｂが含まれており、該食器洗浄機２０は、この下流側給湯路１３ｂと上流側給湯路１２とを介して熱源機１に接続されている。
【００３５】
補足すると、本実施形態では、上流側給湯路１２と、任意の１つの給湯栓１５に対応する下流側給湯路１３ａとを合わせたものが、本発明における第１給湯路に相当し、ヘッダ１４が第１給湯路の途中部に相当し、食器洗浄機２０に対応する下流側給湯路１３ｂが本発明における第２給湯路に相当する。また、食器洗浄機２０は、本発明における機器に相当する。
【００３６】
食器洗浄機２０には、下流側給湯路１３ｂに接続された洗浄槽２１と、該下流側給湯路１３ｂを洗浄槽２１に対して開閉可能な給水弁２２と、洗浄槽２１内の給湯用水を排水する排水動作を行い得る排水装置２３と、洗浄槽２１に供給される給湯用水の温度を検出し得るように洗浄槽２１に取付けられた温度センサ２４を含む種々のセンサと、食器洗浄機２０の運転制御を行う機能を有する制御装置２５とが搭載されている。
【００３７】
給水弁２２は、電磁弁等により構成される。排水装置２３は、洗浄槽２１の下部に取付けられたポンプ２３ａと、該ポンプ２３ａを介して洗浄槽２１に接続された排水路２３ｂとを含み、ポンプ２３ａの作動により洗浄槽２１内の給湯用水を排水路２３ｂから排水することが可能である。なお、本実施形態では、ポンプ２３ａは、その正転動作時に、洗浄液を含む給湯用水を洗浄用のノズル（図示しない）に供給し、逆転動作時に、洗浄槽２１から排水路２３ｂへの排水を行う。
【００３８】
制御装置２５は、例えばマイクロコンピュータ、メモリ、インターフェース回路、通信機等を含む電子回路ユニットにより構成され、温度センサ２４を含む各センサの検出信号が入力されると共に、熱源機１の運転操作用のリモコン７と有線又は無線による通信を行うことが可能である。
【００３９】
そして、制御装置２５は、実装されたハードウェア構成及びプログラム（ソフトウェア構成）の両方又は一方により実現される機能として、給水弁２２及びポンプ２３ａの作動制御を含めて食器洗浄機２０の運転制御を行う機能を有する。
【００４０】
なお、本実施形態では、食器洗浄機２０の制御装置２５が、本発明における制御部に相当し、温度センサ２４が本発明における第１温度センサに相当する。
【００４１】
次に、本実施形態において、いずれかの給湯栓１５への給湯を行う場合の作動を説明する。本実施形態では、熱源機１の給湯運転が行われていない状態で、熱源機１の制御装置６と、リモコン７の制御部７ｂと、食器洗浄機２０の制御装置２５との協働によって、図２のフローチャートに示す処理が実行される。
【００４２】
ＳＴＥＰ１において、リモコン７の制御部７ｂは、開栓予測判断部としての機能によって、いずれかの給湯栓１５の開栓が、まもなく（近々）開始されることが予測される状況であるか否かを判断することを、その判断結果が肯定的になるまで逐次実行する。ここで、例えば、熱源機１が浴槽ＢＴの湯はりを自動的に行う湯はり運転を実行した場合、該湯はり運転の終了後、まもなくに、ユーザが浴室の給湯栓１５での出湯（例えばシャワー浴）を行うべく、該給湯栓１５の開栓を開始する可能性が高い。
【００４３】
そこで、本実施形態では、リモコン７の制御部７ｂは、熱源機１の制御装置６から送信される通知情報によって、湯はり運転が終了した旨を認識すると、ＳＴＥＰ１の判断結果が肯定的になったものと判断し、ＳＴＥＰ２からの処理を開始する。
【００４４】
なお、ＳＴＥＰ１の判断処理の態様は、上記の態様に限られない。例えば、湯はり運転の終了直前のタイミング、あるいは、湯はり運転の開始後、所定時間が経過したタイミングで、ＳＴＥＰ１の判断結果が肯定的になったものと判断してもよい。
【００４５】
また、例えば、熱源機１の給湯運転のオン操作（熱源機１を、給水路１１から給湯路１２への通水に応じて給湯運転を開始し得る通水待ちの状態にする操作）がリモコン７（又は他のリモコン）で行われた場合には、その後、まもなくに、いずれかの給湯栓１５が開栓される可能性が高い。従って、リモコン７（又は他のリモコン）で熱源機１の給湯運転のオン操作が行われた場合にＳＴＥＰ１の判断結果が肯定的になったものと判断してもよい。
【００４６】
また、例えば、熱源機１の給湯運転の過去の（例えば、所定日数前までの期間の）実行履歴に基づいて、給湯運転が開始される時刻を学習し、その学習した時刻の少し前の時刻でＳＴＥＰ１の判断結果が肯定的になったものと判断してもよい。
【００４７】
また、例えば、ユーザが給湯運転（いずれかの給湯栓１５の開栓）を近々開始しようとする場合に該ユーザが操作するスイッチをリモコン７に備えておき、該スイッチが操作された場合に、ＳＴＥＰ１の判断結果が肯定的になったものと判断してもよい。
【００４８】
ＳＴＥＰ１の判断結果が肯定的になった場合の次のＳＴＥＰ２では、リモコン７の制御部７ｂは、熱源機１の前記温度センサ５により検出される給湯路１２の水温である熱源機出湯水温の現在の検出値を制御装置６から取得し、この熱源機出湯水温の検出値が所定温度Ｔ１以下であるか否かを判断する。該所定温度Ｔ１は、本発明における第２所定値に相当する。該所定温度Ｔ１は、あらかじめ定められた固定的な温度でもよいが、例えば、目標給湯温度よりも所定値だけ低い温度等であってもよい。
【００４９】
なお、湯はり運転の実行に応じてＳＴＥＰ１の判断結果が肯定的になった場合には、ＳＴＥＰ２では、例えば、湯はり運転の開始時又は開始直後に温度センサ５により検出された熱源機出湯温度の検出値を上記所定温度Ｔ１と比較してもよい。また、給水路１１から熱源機１に供給される給湯用水の温度である熱源機給水温度を検出し得る場合には、ＳＴＥＰ２では、該熱源機給水温度の検出値を上記所定温度Ｔ１と比較してもよい。
【００５０】
ＳＴＥＰ２の判断結果が否定的である場合には、熱源機１から各給湯栓１５までの給湯路１２，１３ａ内の給湯用水は、さほど冷えていないものと推定し得る。この場合には、ＳＴＥＰ１からの処理が改めて再開される。
【００５１】
ＳＴＥＰ２の判断結果が肯定的である場合には、熱源機１から各給湯栓１５までの給湯路１２，１３ａ内の給湯用水が冷えていると推定し得る。この場合には、リモコン７の制御部７ｂは、ＳＴＥＰ３において、食器洗浄機２０の制御装置２５との通信によって取得される該食器洗浄機２０の状態に基づいて、食器洗浄機２０が熱源機１からの強制給水を行い得る状態であるか否かを判断する。
【００５２】
この場合、例えば、食器洗浄機２０が、食器洗浄運転の実行中である場合、あるいは、食器洗浄機２０の扉（洗浄槽２１に食器を出し入れするための開口の扉）が開いている場合に、リモコン７の制御部７ｂは、ＳＴＥＰ３の判断結果が否定的であると判断する。この場合には、ＳＴＥＰ１からの処理が改めて再開される。
【００５３】
また、ＳＴＥＰ３の判断結果が肯定的である場合には、ＳＴＥＰ４において、リモコン７の制御部７ｂは、熱源機１から食器洗浄機２０への強制給水を実行すべき旨を食器洗浄機２０の制御装置２５に指示する。
【００５４】
この指示に応じて、食器洗浄機２０の制御装置２５は、ＳＴＥＰ５において、食器洗浄機２０への強制給水を実行する。具体的には、制御装置２５は、給水弁２２を開弁制御すると共に、排水装置２３の排水動作を行わせるようにポンプ２３ａを作動させる。これにより、熱源機１から上流側給湯路１２及び下流側給湯路１３ｂを介して洗浄槽２１に給湯用水が給水される。併せて、該洗浄槽２１から給湯用水が排水路２３ｂを介して排水される。
【００５５】
また、この時、給水路１１から給湯路１２への通水（熱源機１への給湯用水の流入）が行われることで、熱源機１の制御装置６がバーナ２の燃焼運転を開始させる。なお、湯はり運転の終了前に、ＳＴＥＰ１の判断結果が肯定的になるようにした場合には、食器洗浄機２０への強制給水の開始時には、バーナ２の燃焼運転が継続される。
【００５６】
食器洗浄機２０への強制給水の実行中に、食器洗浄機２０の制御装置２５は、ＳＴＥＰ６において、食器洗浄機２０の温度センサ２４で検出される温度（洗浄槽２１の供給された給湯用水の温度）である食器洗浄機給水温度が所定温度Ｔ２まで上昇したか否かを逐次判断する。該所定温度Ｔ２は、本発明における第１所定値に相当する。この所定温度Ｔ２としては、例えば、食器洗浄機２０への強制給水の開始時における食器洗浄機給水温度の検出値よりも所定値だけ高い温度、あるいは、目標給湯温度よりも所定値だけ低い温度等が用いられる。
【００５７】
そして、ＳＴＥＰ６の判断結果が肯定的である場合には、ＳＴＥＰ９において、食器洗浄機２０の制御装置２５は、給水弁２２を閉弁制御することで、食器洗浄機２０への強制給水を停止させる。
【００５８】
また、食器洗浄機２０への強制給水の実行中に、ＳＴＥＰ７において、リモコン７の制御部７ｂは、熱源機１の制御装置６との通信により取得される熱源機１の状態に基づいて、該熱源機１の異常停止（詳しくは、バーナ２の失火、熱交換器３の過熱状態等の異常の発生に応じた熱源機１の運転停止状態）が発生したか否かを逐次判断する。
【００５９】
そして、ＳＴＥＰ７の判断結果と前記ＳＴＥＰ６の判断結果とが共に否定的である場合には、ＳＴＥＰ５からの処理が継続する（食器洗浄機２０への強制給水が継続する）。また、ＳＴＥＰ７の判断結果が肯定的になった場合には、リモコン７の制御部７ｂは、ＳＴＥＰ８において、食器洗浄機２０の制御装置２５に、強制給水の停止を指示する。この指示に応じて、食器洗浄機２０の制御装置２５は、ＳＴＥＰ９において、給水弁２２を閉弁制御することで、食器洗浄機２０への強制給水を停止させる。
【００６０】
なお、ＳＴＥＰ９で食器洗浄機２０への強制給水を停止させた後は、ＳＴＥＰ１からの処理が改めて再開される。
【００６１】
本実施形態の給湯システムでは、以上説明した如く、いずれかの給湯栓１５がまもなく開栓されることが予測される状況で、ＳＴＥＰ２又は３の判断結果が否定的となる場合を除いて、食器洗浄機２０への強制給水が実行される。すなわち、給水路１１から熱源機１、上流側給湯路１２、及び下流側給湯路１３ｂを経由して、食器洗浄機２０への給水が行われる。
【００６２】
このとき、バーナ２の燃焼運転により、食器洗浄機２０に供給される給湯用水が加熱されることで、いずれかの給湯栓１５が開栓される前に（給湯栓１５への給水が開始する前に）、上流側給湯路１２及び下流側給湯路１３ｂを流れる給湯用水が昇温する。このため、いずれかの給湯栓１５が開栓された時には、上流側給湯路１２内の給湯用水が昇温した給湯用水になっているため、給湯栓１５の開栓後、短時間で、該給湯栓１５に上流側給湯路１２内の昇温した給湯用水が供給されるようになる。従って、該給湯栓１５の開栓直後に、該給湯栓１５から冷えた給湯用水が出水する状態を素早く解消することができる。ひいては、給湯栓１５の開栓直後のユーザの快適性を高めることができる。
【００６３】
また、特に、湯はり運転の実行に応じて食器洗浄機２の強制給水が実行された場合には、湯はり運転の終了直後に、ユーザが浴室でシャワー浴を行うときに、浴室の給湯栓１５のシャワーヘッド１５ｓから出水する給湯用水の増減変動を防止することが可能となる。このため、ユーザの快適性を高めることができる。
【００６４】
また、食器洗浄機２０への強制給水は、いずれかの給湯栓１５がまもなく開栓されることが予測される状況でだけ実行される。また、いずれかの給湯栓１５がまもなく開栓されることが予測される状況であっても、ＳＴＥＰ２で熱源機出湯温度の検出値が所定温度Ｔ１よりも高い場合（換言すれば、上流側給湯路１２及び下流側給湯路１３ａ内の給湯用水がさほど冷えていないことが推定される場合）には、食器洗浄機２０への強制給水は実行されない。このため、食器洗浄機２０への必要性の乏しい強制給水や、該強制給水に伴うバーナ２の燃焼運転（必要性の乏しい燃焼運転）が行われるのを極力防止することができる。ひいては、給湯システムでのエネルギー損失や、水資源の損失を効果的に抑制することができる。
【００６５】
なお、本発明は、以上説明した実施形態に限定されるものではなく、他の実施形態を採用することもできる。以下に他の実施形態をいくつか説明する。
【００６６】
前記実施形態では、熱源機１と給湯栓１５及び食器洗浄機２０（機器）の間にヘッダ１４を備えるものを例示したが、ヘッダ１４を備えないものであってよい。例えば、熱源機１から１つの給湯栓１５に至る連続した給湯路（第１給湯路）の途中部から、食器洗浄機２０（機器）に至る給湯路（第２給湯路）や、他の給湯栓１５に至る給湯路が分岐されていてもよい。
【００６７】
また、前記実施形態では、本発明における機器として、食器洗浄機２０を例示したが、当該機器は、食器洗浄機に限定されず、例えば、洗濯機等の機器であってもよい。
【００６８】
また、前記実施形態では、食器洗浄機２０への強制給水と並行して、該食器洗浄機２０の排水装置２３の排水動作を行うようにしたが、例えば食器洗浄機２０の強制給水の終了後に、排水装置２３の排水動作を行うようにしてもよい。また、例えば食器洗浄機２０の強制給水の終了後、所定時間が経過するまで、給湯用水を洗浄槽２１に貯留しておき、該所定時間内で食器洗浄機２０の食器洗浄運転が開始された場合には、貯留されている給湯用水を洗浄用に利用してもよい。これらのことは、食器洗浄機２０以外の機器についても同様である。
【００６９】
また、図２のフローチャートに示した処理では、例えばＳＴＥＰ１〜３の判断処理の実行順序を任意に変更してもよい。また、当該フローチャートでのリモコン７の制御部７ｂの処理の一部（例えば、ＳＴＥＰ１〜３、７のいずれかの処理）を、熱源機１の制御装置６又は食器洗浄機２０の制御装置２５で実行するようにしてもよい。さらに、リモコン７の制御部７ｂと、食器洗浄機２０の制御装置２５とが外部のサーバと通信を行い得る場合には、該サーバに、リモコン７の制御部７ｂの処理の一部（例えば、ＳＴＥＰ１〜３、７のいずれかの処理）や、制御装置２５の処理の一部（例えばＳＴＥＰ６の処理）を実行させることも可能である。
【００７０】
また、前記実施形態では、ＳＴＥＰ２の判断結果が肯定的である場合に、食器洗浄機２０への強制給水を実行したが、ＳＴＥＰ２の判断結果が否定的となる状況でも、食器洗浄機２０への強制給水を実行してもよい。ただし、給湯システムでのエネルギ損失や水資源の損失を極力抑制する上では、前記実施形態の如く食器洗浄機２０への強制給水を実行することが好ましい。
【００７１】
また、前記実施形態では、食器洗浄機２０への強制給水の開始後、食器洗浄機給水温度が所定温度Ｔ２に上昇するまでの期間で該強制給水を実行したが、例えば、該強制給水の開始後、所定時間が経過するまでの期間で該強制給水を実行するようにしてもよい。
【符号の説明】
【００７２】
１…熱源機、５…温度センサ（第２温度センサ）、７ｂ…制御部（開栓予測判断部）、１２…給湯路（第１給湯路）、１３ａ…下流側給湯路（第１給湯路）、１３ｂ…下流側給湯路（第２給湯路）、１４…ヘッダ（途中部）、１５…給湯栓、２０…食器洗浄機（機器）、２２…給水弁、２３…排水装置、２４…温度センサ（第１温度センサ）、２５…制御装置（制御部）。
【図１】
2020063882.tif 000003
【図２】
2020063882.tif 000004